(57)【要約】エラストマー押出成形フィルム上にテクスチャード加工またはパターン加工された表面を形成するための組成物及び方法が開示される。【特許請求の範囲】
【請求項１】
発泡剤を含有する第１のポリマー層と、ポリマー樹脂及び特殊効果剤を含有する第２の層とを含む多層ポリマーフィルムであって、前記特殊効果剤が、前記第１の層を通して反射して多次元のテクスチャード色彩効果をもたらし、かつ、前記第１の層の前記発泡剤が、前記第２の層と反対側の前記第１の層の面にある、前記多層ポリマーフィルム。
【請求項２】
前記特殊効果剤が、着色顔料、真珠光沢顔料、光干渉顔料、または他の特殊効果メタリック顔料である、請求項１に記載のポリマーフィルム。
【請求項３】
前記第２の層中の前記特殊効果剤が、外層中の気泡構造を通して反射し特有の次元のフィルム効果をもたらす、請求項２に記載のポリマーフィルム。
【請求項４】
前記ポリマーフィルムの最外層がポリオレフィンポリマーを含む、請求項１に記載のポリマーフィルム。
【請求項５】
前記ポリマーフィルムの前記最外層の前記ポリオレフィンポリマーが、低密度ポリエチレン（ＬＤＰＥ）ポリマー、直鎖低密度ポリエチレン（ＬＬＤＰＥ）ポリマー、高密度ポリエチレン（ＨＤＰＥ）ポリマー、中密度ポリエチレン（ＭＤＰＥ）ポリマー、超高分子量ポリエチレン（ＵＨＭＷＰＥ）ポリマー、架橋ポリエチレン（ＸＬＰＥ）ポリマー、またはポリプロピレン（ＰＰ）ポリマーを含む、請求項４に記載のポリマーフィルム。
【請求項６】
前記第２の層と隣接しかつ前記第１の層と反対側にある第３のポリマー層を更に含む、請求項１に記載のポリマーフィルム。
【請求項７】
３層フィルム構造中の前記層の割合が、外層２０％；コア／中間層６０％；内層２０％である、請求項６に記載のポリマーフィルム。
【請求項８】
前記第３の層が第２の特殊効果剤を含み、かつ前記特殊効果剤が、第１の前記特殊効果とは異なる着色顔料、真珠光沢顔料、または光干渉顔料である、請求項６に記載のポリマーフィルム。
【発明の詳細な説明】
【背景技術】
【０００１】
Ｉ．背景
従来、エラストマーの押出成形フィルムは滑らかな外層表面に限定されていた。外表面に乱れたパターンを形成するための試みがなされてきたものの、確実に成功するものではなかった。今日、押出成形エラストマーフィルムは、テクスチャーまたは乱れたパターンを形成するためにフィルムの外層表面にエンボス加工をする二次変換工程を経る必要がある。
【０００２】
エラストマーフィルム産業では、エラストマーの押出成形フィルム上にテクスチャード加工またはパターン加工された表面を形成するための二次加工を必要としない処理方法が求められている。産業需要は、最初の押出成形工程中に一貫したロット間ベースでフィルム表面にテクスチャーまたはパターン効果をもたらすことを可能にする技術である。
【発明の概要】
【０００３】
ＩＩ．概要
ポリマー層の特定の規則的な組み合わせによって製造される視覚的効果を有する多層ポリマーフィルム（例えば、Ａｍｐａｃｅｔ  Ｃｏｒｐ．によるＲＥＰＴＹＬＥＦＸなど）に関する方法及び組成物が開示される。
【０００４】
１つの態様においては、本明細書では、発泡剤を含有する第１のポリマー層と、ポリマー樹脂及び特殊効果剤を含有する第２の層とを含む多層ポリマーフィルムであって、特殊効果が、第１の層を通して反射して多次元のテクスチャード色彩効果をもたらし、かつ、第１の層の発泡剤が、第２の層と反対側の第１の層の面にある、多層ポリマーフィルムが開示される。
【図面の簡単な説明】
【０００５】
ＩＩＩ．図面の簡単な説明
本明細書に組み込まれかつその一部を構成する添付の図面は、いくつかの態様を説明し、かつ開示される組成物及び方法を明細書とともに説明するものである。
【発明を実施するための形態】
【０００６】
ＩＶ．詳細な説明
本発明の化合物、組成物、物品、デバイス、及び／または方法の開示及び記載の前に、これらは別段の規定がない限り特定の合成方法または特定の組み換えバイオテクノロジー手法に限定されないこと、あるいは別段の規定がない限り特定の試薬に限定されないこと、そのため当然変動し得ることを理解しなければならない。本明細書で使用されている用語は特定の実施形態を記述する目的に過ぎず、限定を意図していないことも理解しなければならない。
【０００７】
Ａ．定義
本明細書及び添付の請求項で使用される単数形「１つの（ａ）」、［１つの（ａｎ）」、及び「その（ｔｈｅ）」には、文脈から明確にそうでないとの指示がない限り複数形の指示対象が含まれる。そのため、例えば「医薬担体（ａ  ｐｈａｒｍａｃｅｕｔｉｃａｌ  ｃａｒｒｉｅｒ）」への言及には、２種以上の該担体の混合物などが含まれる。
【０００８】
範囲は、本明細書では「約」ある特定の値から及び／または「約」別の特定の値までとして表現される場合がある。そのような範囲が表現される場合、別の実施形態は、そのある特定の値から及び／または他方の特定の値までを含む。同様に、値が先行する「約」の使用により近似値として表現されている場合、その特定の値は別の実施形態を形成すると理解されるであろう。更に、範囲のそれぞれの終点は、他方の終点と関係して、及び他方の終点と無関係に、両方で意味があると理解されるであろう。数多くの本明細書に開示の値が存在し、値自体に加えて「約」その特定の値としても各値が本明細書に開示されることも理解される。例えば、値「１０」が開示される場合には、「約１０」も開示される。値が開示される場合、当業者に適切に理解される通りに、その値「以下」、「その値以上」、及び値の間の可能な範囲も開示されることも理解される。例えば、値「１０」が開示されている場合、「１０以下」だけでなく「１０以上」も開示される。本明細書全体を通じて、データは多数の異なるフォーマットで示されており、このデータは終点と始点、及びデータ点の任意の組み合わせについての範囲を表すことも理解される。例えば、具体的なデータ点「１０」と具体的なデータ点「１５」が開示されている場合、１０及び１５より大きい、これら以上、これら未満、これら以下、並びに１０及び１５だけでなく、１０と１５の間の範囲も開示されていると見なされると理解される。２つの特定の単位の間のそれぞれの単位も開示されていることも理解される。例えば、１０と１５が開示されている場合、１１、１２、１３、及び１４も開示されている。
【０００９】
本明細書及びその後の請求項においては多数の用語が言及され、それらは次の意味を有すると定義するものとする。
【００１０】
「任意選択的な」または「任意選択的に」は、引き続き記述される事象または状況が生じても生じなくてもよいこと、及びその記述が前記事象または状況が起こる場合と起こらない場合を含むことを意味する。
【００１１】
本出願全体を通じて、様々な刊行物が参照される。これらの刊行物の開示全体は、これが関係する技術水準をより完全に記述するために、参照により本出願に組み込まれる。開示されている参照文献も、文章が依存する参照文献の中で論じられているこれらの中に含まれる題材に関して、個別かつ具体的に参照により本明細書に組み込まれる。
【００１２】
Ｂ．組成物
本開示の組成物の合成のために使用される成分だけでなく、本明細書に開示の方法で使用される組成物自体も開示される。これら及び他の材料は本明細書に開示され、これらの材料の組み合わせ、部分集合、相互作用、グループ等が開示されている場合、これらの化合物の各様々な個別の及び集合的な組み合わせ及び配列の具体的な言及が明示的に開示されていない場合であっても、それぞれ本明細書で具体的に想定され記載されていると理解される。例えば、特定の多層ポリマーフィルムが開示され、説明されている場合、並びにフィルムに対して行い得る多数の修飾が説明されている場合、反対の指示が具体的にない限り、多層ポリマーフィルムの構成要素それぞれ及び全ての組み合わせ及び配列並びに可能な修飾が具体的に想定されている。したがって、構成要素Ａ、Ｂ、及びＣの分類が開示されているだけでなく、構成要素Ｄ，Ｅ、及びＦの分類、並びに構成要素の組み合わせの例であるＡ〜Ｄも開示されている場合、それぞれが個別に列挙されていなくても、それぞれ個別かつ集合的に想定される意味の組み合わせ、Ａ〜Ｅ、Ａ〜Ｆ、Ｂ〜Ｄ、Ｂ〜Ｅ、Ｂ〜Ｆ、Ｃ〜Ｄ、Ｃ〜Ｅ、及びＣ〜Ｆが開示されていると見なされる。同様に、これらの任意の部分集合及び組み合わせも開示される。したがって、例えば、Ａ〜Ｅ、Ｂ〜Ｆ、及びＣ〜Ｅのサブグループも開示されていると見なされているであろう。この概念は、開示されている組成物の製造方法及び使用方法における工程を含む（ただしこれらに限定されない）本出願の全ての態様に適用される。したがって、行い得る追加的な様々な工程が存在する場合、これらの追加的な工程のそれぞれは、開示されている方法の任意の特定の実施形態または実施形態の組み合わせを用いて行えることが理解される。
【００１３】
本開示は、多層ポリマーフィルム、特殊効果、及び発泡剤の使用による視覚的効果及びテクスチャー効果の作出に関する。ある態様においては、発泡剤を含有する第１のポリマー層と、ポリマー樹脂及び特殊効果剤を含有する第２の層とを含む多層ポリマーフィルムであって、特殊効果が、第１の層を通して反射して多次元のテクスチャード色彩効果をもたらし、かつ、第１の層の発泡剤が、第２の層と反対側の第１の層の面にある、多層ポリマーフィルム（例えば、Ａｍｐａｃｅｔ  Ｃｏｒｐ．によるＲＥＰＴＹＬＥＦＸを用いたものなど）が本明細書において開示される。
【００１４】
ポリマー層は、特にポリマー樹脂を含有すると理解されかつ本明細書では想定されている。本明細書のために好適な樹脂はポリオレフィンであり、これには低密度ポリエチレン（ＬＤＰＥ）ポリマー、直鎖低密度ポリエチレン（ＬＬＤＰＥ）ポリマー、高密度ポリエチレン（ＨＤＰＥ）ポリマー、中密度ポリエチレン（ＭＤＰＥ）ポリマー、超高分子量ポリエチレン（ＵＨＭＷＰＥ）ポリマー、架橋ポリエチレン（ＸＬＰＥ）ポリマー、ポリプロピレン（ＰＰ）ポリマー、及びメタロセンにより触媒されたポリオレフィン（すなわちプラストマー）樹脂が含まれ得る。本発明の樹脂は、ホモポリマーであってもコポリマーであってもよい。後者の例は、ポリエチレンブチルアクリレート、ポリエチレンメタクリレート、及びポリエチレンビニルアセテートなどのオレフィンコポリマーである。
【００１５】
本開示のフィルムは多層ポリマーフィルムを含むことから、各層のポリマー組成物は、フィルムに与えられる視覚的効果及びテクスチャー効果だけでなく、フィルムの意図される用途のための他の物理的な特性にも寄与し得ると理解される。したがって、多層ポリマーフィルムの各層の組成物は、任意の１つ以上の追加的な層と異なっていても同じであってもよい。ある態様においては、多層ポリマーフィルムの各層は、同じまたは異なるポリオレフィン樹脂を含んでいてもよい。例えば、ある態様においては、全てのポリマー層が低密度ポリエチレン（ＬＤＰＥ）、直鎖低密度ポリエチレン（ＬＬＤＰＥ）、または高密度ポリエチレン（ＨＤＰＥ）である多層ポリマーフィルムが本明細書で開示される。別の例においては、本開示の多層ポリマーフィルムは、低密度ポリエチレン（ＬＤＰＥ）、直鎖低密度ポリエチレン（ＬＬＤＰＥ）、または高密度ポリエチレン（ＨＤＰＥ）を含有する１つ以上のポリマー層と、異なるポリマー構造をポリマーが含む少なくとも１つのポリマー層とを含んでいてもよい。
【００１６】
その最も簡素な形態においては、多層ポリマーフィルムは２つの層を含む。しかし、多層ポリマーフィルムが１、２、３、４、５、６、７、８、９、１０、１１、１２、１３、１４、１５、１６、１７、１８、２９、２０、２５、３０、３５、４０、４５、または５０層、またはそれ以上の追加的なポリマー層を含み得ることが本明細書では完全に想定されている。したがって、ある態様においては、２、３、４、５、６、７、８、９、または１０層またはそれ以上の層を含む多層ポリマーフィルムが本明細書で開示される。例えば、第２の層と隣接しかつ第１の層と反対側にある第３のポリマー層を更に含む多層ポリマーフィルムが本明細書で開示される。任意の後続の層は、その前の層に付加され、発泡剤を含む第１の層の面には付加されない。
【００１７】
個々のポリマー層は、多層ポリマーフィルムの同じまたは異なる割合を占めていてもよく、個々の層の比率は、異なる視覚効果を達成するために修正し得ることが理解されかつ本明細書では想定されている。例えば、２層フィルムの各層は、フィルムの５０％を構成していてもよい。あるいは、２層ポリマーフィルムの１つのポリマー層が、多層フィルムの１、２、３、４、５，６、７、８、９、１０、１１、１２、１３、１４、１５、１６、１７、１８、１９、２０、２１、２２、２３、２４、２５、２６、２７、２８、２９、３０、３１、３２、３３、３４、３５、３６、３７、３８、３９、４０、４１、４２、４３、４４、４５、４６、４７、４８、４９、５０、５１、５２、５３、５４、５５、５６、５７、５８、５９、６０、６１、６２、６３、６４、６５、６６、６７、６８、６９、７０、７１、７２、７３、７４、７５、７６、７７、７８、７９、８０、８１、８２、８３、８４、８５、８６、８７、８８、８９、９０、９１、９２、９３、９４、９５、９６、９７、９８、または９９パーセントを構成する一方で残りの層が多層フィルムの残りのパーセンテージを構成していてもよい。同様に、３層フィルムにおいては、各層はフィルム構造の同じ割合（すなわち１／３の割合）を構成していてもよいか、あるいは最大でも２つの層がフィルムの同じ量を構成する一方で残りの層が異なる割合を構成するように異なる割合であってもよい。例えば、第１（すなわち外側）の層及び第３の層（内層）は、それぞれ多層フィルムの２０％を構成していてもよく（合計４０％）、一方で第２のもの（中間またはコア層）はフィルムの残りである６０％を構成していてもよいことが本明細書で開示される。すなわち、限定するものではないが、５：９０：５；  １０：８０：１０；  １５：７０：１５；  ２０：６０：２０；  ２５：５０：２５；  ３０：４０：３０；  ３５：３０：３５；  ４０：２０：４０；  ４５：１０：４５；  ５：５：９０；  １０：１０：８０；  １５：１５：７０；  ２０：２０：６０；  ２５：２５：５０；  ３０：３０：４０；  ３５：３５：３０；  ４０：４０：２０；  ４５：４５：１０；  ９０：５：５；  ８０：１０：１０；  ７０：１５：１５；  ６０：２０：２０；  ５０：２５：２５；  ４０：３０：３０；  ３０：３５：３５；  ２０：４０：４０；  １０：４５：４５；  ５：１０：８５；  １０：１５：７５；  １５：２０：６５；  ２０：２５：５５；  ２５：３０：４５；  １０：５：８５；  １５：１０：７５；  ２０：１５：６５；  ２５：２０：５５；  ３０：２５：４５；  ８５：１０：５；  ７５：１５：１０；  ６５：２０：１５；  ５５：２５：２０；  ４５：３０：２５；  ８５：５：１０；  ７５：１０：１５；  ６５：１５：２０；  ５５：２０：２５；  ４５：２５：３０；  ５：８５：１０；  １０：７５：１５；  １５：６５：２０；  ２０：５５：２５；  ２５：４５：３０；  １０：８５：５；  １５：７５：１０；  ２０：６５：１５；  ２５：５５：２０；または３０：４５：２５、または任意の他の組み合わせの、外層：中間層：内層のパーセンテージを含む、層の比率の任意の組み合わせが多層フィルムの中に存在していてもよい。
【００１８】
第１のポリマー層中に組み込むために、様々な発泡剤を用いることができる。第１の（すなわち外側）層は、視覚的効果及び／またはテクスチャー効果を得るために発泡剤を含有する。例えば、発泡剤としてアゾ化合物、Ｎ’−ニトロソ化合物、及びスルホニルヒドラジド化合物を使用することができる。更に、化合物のこれらの群の混合物も本明細書で使用することができる。発泡剤の典型的な使用量は、フィルム構造の外層中で１％〜２％の範囲であるが、使用される発泡剤のパーセンテージは望まれる視覚的効果のテクスチャーの程度に応じて修正することができる。本開示の多層ポリマーフィルム中で使用できるアゾ化合物の例としては、限定するものではないが、アゾジカルボンアミド、アゾビスイソブチロニトリル、及びジアゾアミノベンゼンが挙げられる。ニトロソ化合物の中では、本開示の多層ポリマーフィルム中で使用できる化合物の例としては、限定するものではないが、Ｎ，Ｎ’−ジメチル，Ｎ，Ｎ’−ジニトロソテレフタルアミド、及びＮ，Ｎ’−ジニトロソペンタメチレンテトラミンが挙げられる。スルホニルヒドラジドの分類に含まれる発泡剤の例としては、限定するものではないが、ベンゼンスルホニルヒドラジド、トルエン−（４）−スルホニルヒドラジド、ベンゼン−１，３−ジスルホニルヒドラジド、ジフェニルスルホン−３，３’−ジスルホニルヒドラジド、及び４，４’オキシビス（ベンゼンスルホニルヒドラジド）が挙げられる。上述の発泡剤のいずれかの混合物も使用することができる。
【００１９】
発泡剤の成分として無機カルボネートも好適な場合がある。例としては、炭酸水素ナトリウム、ヒドロキシル炭酸ナトリウムアルミニウム、炭酸マグネシウム、及びこれらの混合物が挙げられる。ポリカルボン酸も有用である。これらには、クエン酸、フマル酸、酒石酸、クエン酸水素ナトリウム、及びクエン酸二ナトリウムだけでなく、カルボネート及び酸の混合物も含まれる。
【００２０】
いくつかの実施形態においては、発泡剤の活性を促進するために活性化剤が含まれてもよい。この目的のために好適なものは、酸化亜鉛、二塩基性フタル酸鉛、エチレングリコール、及び尿素、並びにこれらの誘導体（例えばヒドロキシエチル尿素）である。これらの活性剤は、発泡剤の約０．１〜約１５重量％、好ましくは約０．５〜約７重量％、任意選択的には約１〜約３重量％の量で配合されてもよい。
【００２１】
視覚的効果を得るために、本開示の多層フィルムは特殊効果剤を含有する。第１の層中の発泡剤により残されたテクスチャー部及び残りの部分と相互に影響し合う、任意の１つ以上のポリマー層における特殊効果の視覚的な認知によって、視覚的効果が生じると理解されかつ本明細書において想定されている。例えば、第２の層中の特殊効果剤は、外層中の気泡構造を通して反射し、特有の次元のフィルム効果をもたらす。
【００２２】
本明細書において使用される場合、「特殊効果剤」とは、限定するものではないが、着色顔料、真珠光沢顔料、光干渉顔料、または他の特殊効果顔料などの、視覚的効果をもたらすことができる任意の薬剤のことをいう。特殊効果剤は、多層ポリマーフィルムの任意の層中に組み込むことができる。例えば、第２と第３の層が特殊効果剤を含む３層の多層ポリマーフィルムが本明細書で開示される。全ての３つの層が特殊効果を含む３層の多層ポリマーフィルムも開示される。
【手続補正書】
【提出日】平成30年12月19日(2018.12.19)
【手続補正１】
【補正対象書類名】特許請求の範囲
【補正対象項目名】全文
【補正方法】変更
【補正の内容】
【特許請求の範囲】
【請求項１】
発泡剤を含有する第１のポリマー層と、ポリマー樹脂及び特殊効果剤を含有する第２の層とを含む多層ポリマーフィルムであって、前記特殊効果剤が、前記第１の層を通して反射して多次元のテクスチャード色彩効果をもたらし、かつ、前記第１の層の前記発泡剤が、前記第２の層と反対側の前記第１の層の面にある、前記多層ポリマーフィルム。
【請求項２】
前記特殊効果剤が、着色顔料、真珠光沢顔料、光干渉顔料、または他の特殊効果メタリック顔料である、請求項１に記載のポリマーフィルム。
【請求項３】
前記第２の層中の前記特殊効果剤が、外層中の気泡構造を通して反射し特有の次元のフィルム効果をもたらす、請求項２に記載のポリマーフィルム。
【請求項４】
前記ポリマーフィルムの最外層がポリオレフィンポリマーを含む、請求項１に記載のポリマーフィルム。
【請求項５】
前記ポリマーフィルムの前記最外層の前記ポリオレフィンポリマーが、低密度ポリエチレン（ＬＤＰＥ）ポリマー、直鎖低密度ポリエチレン（ＬＬＤＰＥ）ポリマー、高密度ポリエチレン（ＨＤＰＥ）ポリマー、中密度ポリエチレン（ＭＤＰＥ）ポリマー、超高分子量ポリエチレン（ＵＨＭＷＰＥ）ポリマー、架橋ポリエチレン（ＸＬＰＥ）ポリマー、またはポリプロピレン（ＰＰ）ポリマーを含む、請求項４に記載のポリマーフィルム。
【請求項６】
前記第２の層と隣接しかつ前記第１の層と反対側にある第３のポリマー層を更に含む、請求項１に記載のポリマーフィルム。
【請求項７】
３層フィルム構造中の前記層の割合が、外層２０％；コア／中間層６０％；内層２０％である、請求項６に記載のポリマーフィルム。
【請求項８】
前記第３の層が第２の特殊効果剤を含み、かつ前記特殊効果剤が、前記第２の層中の前記特殊効果剤とは異なる着色顔料、真珠光沢顔料、または光干渉顔料である、請求項６に記載のポリマーフィルム。
【手続補正２】
【補正対象書類名】明細書
【補正対象項目名】０００４
【補正方法】変更
【補正の内容】
【０００４】
１つの態様においては、本明細書では、発泡剤を含有する第１のポリマー層と、ポリマー樹脂及び特殊効果剤を含有する第２の層とを含む多層ポリマーフィルムであって、特殊効果が、第１の層を通して反射して多次元のテクスチャード色彩効果をもたらし、かつ、第１の層の発泡剤が、第２の層と反対側の第１の層の面にある、多層ポリマーフィルムが開示される。
[本発明1001]
発泡剤を含有する第1のポリマー層と、ポリマー樹脂及び特殊効果剤を含有する第2の層とを含む多層ポリマーフィルムであって、前記特殊効果剤が、前記第1の層を通して反射して多次元のテクスチャード色彩効果をもたらし、かつ、前記第1の層の前記発泡剤が、前記第2の層と反対側の前記第1の層の面にある、前記多層ポリマーフィルム。
[本発明1002]
前記特殊効果剤が、着色顔料、真珠光沢顔料、光干渉顔料、または他の特殊効果メタリック顔料である、本発明1001のポリマーフィルム。
[本発明1003]
前記第2の層中の前記特殊効果剤が、外層中の気泡構造を通して反射し特有の次元のフィルム効果をもたらす、本発明1002のポリマーフィルム。
[本発明1004]
前記ポリマーフィルムの最外層がポリオレフィンポリマーを含む、本発明1001のポリマーフィルム。
[本発明1005]
前記ポリマーフィルムの前記最外層の前記ポリオレフィンポリマーが、低密度ポリエチレン（ＬＤＰＥ）ポリマー、直鎖低密度ポリエチレン（ＬＬＤＰＥ）ポリマー、高密度ポリエチレン（ＨＤＰＥ）ポリマー、中密度ポリエチレン（ＭＤＰＥ）ポリマー、超高分子量ポリエチレン（ＵＨＭＷＰＥ）ポリマー、架橋ポリエチレン（ＸＬＰＥ）ポリマー、またはポリプロピレン（ＰＰ）ポリマーを含む、本発明1004のポリマーフィルム。
[本発明1006]
前記第2の層と隣接しかつ前記第1の層と反対側にある第3のポリマー層を更に含む、本発明1001のポリマーフィルム。
[本発明1007]
3層フィルム構造中の前記層の割合が、外層20％；コア／中間層60％；内層20％である、本発明1006のポリマーフィルム。
[本発明1008]
前記第3の層が第2の特殊効果剤を含み、かつ前記特殊効果剤が、第1の前記特殊効果とは異なる着色顔料、真珠光沢顔料、または光干渉顔料である、本発明1006のポリマーフィルム。
【国際調査報告】
2019511405.tif 000002